Podtech/llm-jp-corpus-v4-ja_patent huggingface dataset:
(57)【要約】【課題】コンクリート建築工法において、打ち放し型枠用のセパレーター端部に取り付けて壁の長尺方向の型枠パネルを固定するためのＲ型セパレーターの開発。【解決手段】鉄筋コンクリート建築方法における、壁面コンクリートの打ち放し型枠用のセパレーターにおいて、長尺方向の型枠を支持するＲ型セパレーター１であって、一端が円形押圧偏平部５でセパレーター１０に引っかけ、他端をジョイントナット３及び全ねじ２を介してピーコン４に螺着して、長尺のＡ、Ｂ方向のパネルを支持し留金１３で固定するようにしたＲ型セパレーターを製作した。【選択図】図１
0003123933.tif 000002
【実用新案登録請求の範囲】
【請求項１】
鉄筋コンクリート建築方法における、壁面コンクリートの打ち放し型枠用のセパレーターにおいて、長尺方向の型枠を支持するＲ型セパレーター１であって、一端が円形押圧偏平部５でセパレーター１０に引っかけ、他端をジョイントナット３及び全ねじ２を介してピーコン４に螺着して、長尺のＡ、Ｂ方向のパネルを支持し留金１３で固定するようにすることを特徴とするＲ型セパレーター。
【考案の詳細な説明】
【技術分野】
【０００１】  本考案は、鉄筋コンクリート建築におけるコンクリートの打ち放し型枠用の、特に柱部分が存在する所、及び通常のセパレーターでは支持できない長尺方向のパネルを支持する事ができる安価で簡便な型枠形成用Ｒ型セパレーターに関する。
【背景技術】
【０００２】  コンクリート建築時の壁面形成用コンクリートの打ち放し型枠をセットに際し、壁面の厚さ方向にセパレーターでピーコンを固定することは、身近な工具を使用することにより例えば全ねじをジョイントナットで長さ調節して固定することは普通に行なわれていることであるが、柱が存在する部分や、縦方向の長尺の部分には普段使用しているセパレーターでは支持することが不可能である。【０００３】  そこで、従来はセパレーターに直交するように別のセパレーターを溶接して固定するようにしたり、また立ちパイプに長尺チエンを引っかけて横パイプに沿って長尺方向のパネルを固定する方法をとらざるを得なかった。【０００４】  その他、工事現場で手近に存在するセパレーターや全ねじを便利に使用することは不可能で、柱の存在箇所や壁の縦方向となる距離の長いところのパネル固定は、大いに困難をもたらしていた。
【考案の開示】
【考案が解決しようとする課題】
【０００５】  本考案者は、その点に着目しセパレーターの構造上、壁の厚さ方向に取り付け固定されているセパレーターに直交するよう引っかけて、具合よくコンクリート打ち放し型枠を固定することが出来ないか考察していたが、柱の存在箇所及び、壁の長さ方向に於いて、壁の高さに応じて複数の固定されている厚さ方向のセパレーターの利用が図れないかを思考することによって、簡便に、身近に利用しうる工具としてＲ型セパレーターを案出したのである。
【課題を解決するための手段】
【０００６】  本考案は、次の通りの構成を有するものである。
即ち、鉄筋コンクリート建築方法における、壁面コンクリートの打ち放し型枠用のセパレーターにおいて、長尺方向の型枠を支持するＲ型セパレーター１であって、一端が円形押圧偏平部５でセパレーター１０に引っかけ、他端をジョイントナット３及び全ねじ２を介してピーコン４に螺着して、長尺のＡ、Ｂ方向のパネルを支持し留金１３で固定するようにしたＲ型セパレーターを製作した。
【考案の効果】
【０００７】  従来、工事現場の身近な所に多く存在している若干寸法の異なるセパレーターを使用するにあたって、本考案者による穴付小ねじを複数備えたジョイントナット類を用いることによって、大半のセパレーターは便利に利用できるようになったが、壁の縦方向となる長尺部分に当たるＡとＢ間のセパレーターに苦心したが、前記、本考案のＲ型セパレーターを用いることによって、従前営々としてやってきた工事現場の不便さを一揆に解決できた作用効果は顕著なものである。
【考案を実施するための最良の形態】
【０００８】  本考案により使用するＲ型セパレーターは、当然、従来通常に行なわれている工事に用いるもので、従来用いられている工具に組み合わせて使用するものであることは言う迄もない。したがって、Ｒ型セパレーター１の円形押圧偏平部５の全長は、ねじ部３５ｍｍを含めて１００ｍｍで、７ｍｍの外経のセパレーターを引っかけるだけの間隔がなくてはならない。【０００９】  円形押圧偏平部５は円形部の伸びを防止し強度を与えるためプレスして円形部を偏平にしてある。ジョイントナット３は５０ｍｍ程度で、別のセパレーター２を螺着して寸法を決めて穴付小ねじ６を締めてピーコン４に固定する。
【実施例】
【００１０】  実施例として図面との対比において説明すると、図１は本考案に係るＲ型セパレーター１の正面図で、２は全ねじセパレーター、３はジョイントナット（ロングナット）、４はピーコンを示し、５は円形押圧偏平部でプレスして強度をもたせた。端片との隙間はセパレーターの太さの７ｍｍの間隔をとる。【００１１】  図２は、コンクリート壁の枠組みを上から見たところの平面図で、コンクリート流し込み枠のパネル７は両面をセパレーター１０で連結し、ピーコン４に螺着して立ちパイプ８及び横パイプ９で補強して型枠を形成する。図２中１１は流し込むコンクリート、１２は柱の部分で１３はピーコンを固定する留金である。【００１２】  図２において、コンクリート壁となる長手方向の長尺方向ＡとＢのパネルを固定化させるため、壁の厚さ方向のセパレーター１０に引っかけてＲ型セパレーター１を上から下まで十数個左右に取り付けるものである。
【産業上の利用可能性】
【００１３】  そうすることにより、従来溶接する方法をとったり、長いチエンを引っかけて枠組み固定していたところを、簡単に便利に、しかも安価に、工事現場の困難な手数を省くことに成功したものであって、直ちに現場に採用施工されることに違いなく、期待の大きいものである。
【図面の簡単な説明】
【００１４】
【図１】本考案に係るＲ型セパレーターの正面図
【図２】本考案に係るＲ型セパレーターの実施形態平面図
【符号の説明】
【００１５】  １  Ｒ型セパレーター
２  全ねじセパレーター
３  ジョイントナット
４  ピーコン
５  円形押圧偏平部
６  穴付小ねじ
７  パネル
８  立ちパイプ
９  横パイプ
１０  セパレーター
１１  壁コンクリート
１２  柱
１３  留金
Ａ  壁長尺方向一端
Ｂ  壁長尺方向他端
【図１】
0003123933.tif 000003
【図２】
0003123933.tif 000004
(57)【要約】      （修正有）【課題】霧が発生しても空気に触れるとすぐに消え霧の量が少なく肌や皮膚を潤す美容器として利用できるようにする。【解決手段】４本体を筒じょうの形状にし霧が蓄積しやすくした、１蓋を開き水又は薬水を２筒口から３指定水位までそそぎ５低電圧レギュレター内蔵電源プラグを１００Ｖコンセントに差し込み６電源スイッチを入れると７ランプが点灯して水中浮遊型超音波霧化器が動作始め霧が発生し筒の中間に蓄積される、端面下向きに設置された８小型ファンの回転送風により蓄積された霧に竜巻上昇気流が発生し霧化粒子径３μｍ以下となった霧が２筒口に向かって噴出、水煙となって肌や皮膚の水分吸収を増加させ潤い美容効果がある。【選択図】図１
0003123932.tif 000002
【実用新案登録請求の範囲】
【請求項１】
水中浮遊型超音波霧化ユニットと煙突効果の円筒容器を組み合せた顔肌湿気美容器
【考案の詳細な説明】
【技術分野】
【０００１】  本考案は水中浮遊型超音波霧化器によって顔肌を潤すための美容器に関する。
【背景技術】
【０００２】  従来の水中超音波器は洗浄器や加湿器などの使用で美容器としては利用されていなかった。
【考案の開示】
【考案が解決しようとする課題】
【０００３】  従来の水中超音波霧化器をそのまま利用すると水が気化して霧が発生するが霧は空気にふれてすぐに消え顔や肌、皮膚を潤す量は蓄積出来ない課題がある。
【課題を解決するための手段】
【０００４】  霧を蓄積するために空気の移動を小さくなるように直径１２０ｍｍ高さ３００ｍｍの煙突筒型のタンクに高さ１５０ｍｍまで水を入れ水中浮遊型超音波霧化器を入れる。【０００５】  水中浮遊型超音波霧化器を動作すると霧は水面より５０ｍｍ上まで蓄積室に霧が蓄積する、ことは出来たがしかし煙のように上昇しない。【０００６】  煙のように上昇し噴出するように超小型のファンで空気を蓄積室内の霧の端に吹き付け竜巻を誘発させ上昇気流を発生させて課題を解決した。
【考案の効果】
【０００７】  本考案は美容用として利用するため使用時間による水位変動に対しては水中浮遊型超音波霧化器を使用し、発生した霧を効率よく上昇噴出するように煙突筒型容器と小型ファンを利用し水又は薬水を利用することで霧化粒子径を３μｍ以下にして肌の吸収効率を増加させ美容効果がある。
【考案を実施するための最良の形態】
【実施例】
【０００８】  本考案の図面に従って説明する、［図１］４本体の１蓋を図のように開き２筒口から水または薬水を３指定水位線まで投入します、【０００９】  ５低電圧レギュレター内蔵電源プラグを１００Ｖコンセント電源に差込６電源スィツチを入れますと７ランプが点灯して動作をはじめ２筒口から霧化された水煙が噴出されます、【００１０】  次に断面図［図２］のように容器は４化粧外観筒ケースと１１透明プラスチック筒容器と１蓋による外気の影響を少なくするための二重構造にしてあります、【００１１】  ［図２］に従って機構動作説明をしますと１蓋を開き２筒口に水か薬水を３指定水位まで投入しますと９水中浮遊型超音波霧化器は適正水位まで浮上します、６スイッチを入れますと９水中浮遊型超音波霧化器が動作し１０の部分に３μｍの粒霧が蓄積されます、【００１２】  １０蓄積室部分の容器端に８小型ファンの空気を吹き込むと霧は矢印のように渦をまいて回転し上昇気流を起こし２筒口に向かって水煙となって噴出され皮膚や肌を潤す美容効果があります。、
【図面の簡単な説明】
【００１３】
【図１】  装置本体姿図
【図２】  構造断面図
【符号の説明】
【００１４】  １    本体蓋
２    本体筒口
３    水位位置線
４    本体化粧外観筒ケース
５    低電源レギュレター内蔵電源
６    電源スイッチ
７    ランプ
８    小型ファン
９    水中浮遊型超音波霧化器
１０  霧蓄積室
１１  透明プラスチック筒型容器
【図１】
0003123932.tif 000003
【図２】
0003123932.tif 000004
(57)【要約】      （修正有）【課題】従前のカメラ・携帯電話ケースは、ファスナーやホック等により蓋体をケース本体に固定してカメラ・携帯電話を収納する形態のものが大半であり、素早くカメラ・携帯電話を取り出すのが困難であった。本考案は、ネックストラップで首から掛けたまま片手ですばやく取り出したり，収納することが可能な構造のカメラ・携帯電話ケースを提供する。【解決手段】本考案は、ケース本体と蓋体を連結するヒンジに、バネあるいはゴムを用いることで蓋体をケース本体に押しつける力を発生させ、蓋体とケース本体で挟み込むようにカメラ・携帯電話を収納することにしたものである。この考案により、カメラ・携帯電話を首から下げたまま片手で素早くケースから取り出すことが可能になる。【選択図】図１
0003123936.tif 000002
【実用新案登録請求の範囲】
【請求項１】
ケース本体と蓋体とのヒンジ部に設置したバネあるいはゴムにより，ケース本体に蓋体を押しつける力を発生させ，カメラ・携帯電話を挟み込むように収納する構造のカメラ・携帯電話ケース
【請求項２】
請求項１に記載したカメラケースあるいは携帯電話ケースであって，ケース本体上部にネックストラップ等を通す溝を設置することにより，ネックストラップを首に装着したまますばやく取り出したり，収納することができる構造のカメラ・携帯電話ケース。
【考案の詳細な説明】
【技術分野】  この考案は，カメラ・携帯電話のケースの形状に関する。
【背景技術】
【０００１】  従来のカメラ・携帯電話ケースはファスナーやホック等により蓋体をケース本体に固定することにより，カメラ・携帯電話を収納する形態の構造のものが大半である。
【考案の開示】
【考案が解決しようとする課題】
【０００２】  しかしながら，従来の形態のカメラ・携帯電話ケースでは，ファスナーを開く，ホックを外すなどの手順が必要となり，ネックストラップで首からぶら下げたまま，すばやく取り出すことは困難であった。【０００３】  本件考案は，ネックストラップで首から掛けたまま片手ですばやく取り出したり，収納することが可能な構造のカメラ・携帯電話ケースを提供することを課題とする。
【課題を解決するための手段】
【０００４】  以上の課題を解決するための本件考案の内容は，ヒンジ部に設置したバネあるいはゴムにより，蓋体をケース本体に押しつける力を発生させ，カメラ・携帯電話を蓋体とケース本体に挟み込むように収納することである（本考案は，ケース本体と蓋体とに何らかのロック機構を用いることを妨げるものではない）。【０００５】  ケース本体の上部中央あるいは上部端に設置した溝にネックストラップを通して収納することにより，ファスナーやホック等で蓋体を固定しなくてもカメラ・携帯電話を収納することができる。これにより，首からカメラ・携帯電話を掛けたまま片手ですばやく取り出すことが可能となる。
【考案を実施するための最良の形態】
【０００６】  本考案の実施形態を図１に示す。  ケース本体と蓋体を連結するヒンジに，バネあるいはゴムにより蓋体をケース本体に押しつける力を発生させる。【０００７】  ケース本体に設置した溝にネックストラップを通してカメラ・携帯電話を収納して蓋体を閉めると，蓋体がケース本体に押しつけられる力で，ファスナーやホック等で固定しなくても，カメラ・携帯電話を挟み込むように収納することができる。
【図面の簡単な説明】
【０００８】
【図１】この考案の一実施形態を示す斜視図である。
【符号の説明】
【０００９】  １  ケース本体  ２  蓋体  ３  ヒンジ部（バネあるいはゴムにより，蓋体をケース本体に押しつける力を発生させ，蓋体とケース本体で挟み込むようにカメラ・形態電話を収納する）  ４  カメラ・携帯電話  ５  ネックストラップを通すための溝  ６  カメラ・携帯電話のネックストラップ
【図１】
0003123936.tif 000003
(57)【要約】【課題】  狭いスペースでの脱着が容易で、周辺が汚れにくく、分解洗浄が簡単な上に正しい組立が容易に行なえるようなカップ式粘度自動制御装置を提供する。【解決手段】  本体上部３と本体下部２を分離すべく上部クランプ４を本体の中間に設け、本体固定具７で本体上部３を固定可能とし、しかもカップ１の固定を本体上部３と本体下部２の継目部分で行なうべくかん合構造とする。【選択図】図１
0003123939.tif 000002
【実用新案登録請求の範囲】
【請求項１】
本体の上部と下部を分離可能にすべく上部クランプ（４）を本体の中間に設け、本体固定具（７）で本体上部（３）を固定可能とし、しかもカップ（１）の固定を本体上部３と本体下部（２）の継目部分で行なうべくかん合構造としたカップ式粘度自動制御装置。
【考案の詳細な説明】
【技術分野】
【０００１】  本考案は、フレキソインクの粘度自動制御装置に関するものである。
【背景技術】
【０００２】  段ボールの印刷は通常フレキソ印刷である。  通常、使用量よりはるかに多くの水性のフレキソインクを循環させるが、揮発成分が蒸発し濃くなるため水を加えて希釈している。
フレキソインクは非再溶解性なので一度乾燥し固体になると溶けて元のインクに戻らない。  すなわちインクの汚れは溶解しないで堆積する一方になるため、従来の種々のインク粘度自動制御装置は洗浄や掃除が大きな問題であった。  実案文献１のカップ式の装置を考案したが、やはり洗浄や掃除が問題である。  本方式はカップの底の穴からのインクの流れを円筒状の本体に開けた穴を通過する光線の遮光、通光をセンサ（６）で検知することにより測定し、制御する。  図３に従来の概略図を示すが、本体上部３が本体の上端にあり、分解掃除をする場合出入口側の配管のワンタッチ継手（８）、（９）と本体固定具７を外し円筒状の本体を手前に取出した後、上部クランプ４および下部クランプ（５）を外し、さらに工具でカップ１を本体上部３から外し分解洗浄する。  ワンタッチ継手の操作は簡単であるが配管や部品に残った液体が垂れて周辺が汚れるし、カップ１の脱着も工具を必要とし面倒である。  また分解洗浄後、粘度測定の精度を保つ為には正しい組立が重要であるが、組立箇所が多いので組立て不良により正確な測定が行なえない場合がある。
【実案文献１】
【０００３】実願平１０−０１０８２９号
【考案の開示】
【考案が解決しようとする課題】
【０００４】  印刷機の本装置の取付けスペースが極めて限られている場合が多いが、狭いスペースでの脱着が容易で、周辺が汚れにくく、分解洗浄が簡単な上に正しい組立が容易に行なえる装置を提供する。
【課題を解決するための手段】
【０００５】  概略的な断面図１と概略図２に基づき説明する。本体を大きく上部と下部に２分割し、上部クランプ４で本体上部３と本体下部２を締め取外し可能とし、分解時に本体下部２から下を外せるようにし、本体上部３は本体固定具７で固定可能とする。  出口ワンタッチ継手９を外せば入口配管はそのままで本体上部３を残した状態で取外せる。  カップ１もかん合構造で本体下部２と本体上部３の継目の部分に嵌め込むので、本体下部を外せば一緒に付いて来るし、カップ１も上に持上げれば容易に外せる。
【考案の効果】
【０００６】  本考案により、入口ワンタッチ継手８はそのままで本体上部３を固定したままで取外せるので簡単で、周辺の汚れがましになり、さらにカップ１の脱着も工具が不用になり分解掃除が楽になるし、洗浄作業後の組立作業も楽に確実になる。
【考案を実施するため最良の形態】
【０００７】  フレキソ印刷の場合インクの汚れが正確な作動の妨げになる為洗浄が問題になるので、基本的に本装置の近辺は簡単に取外し洗浄可能にしておく必要がある。  以下、本考案の詳細を実施例に基づき説明する。
【実施例】
【０００８】  従来は図３の様な構造で、分解掃除をする場合出入口側の配管のワンタッチ継手８、９と本体固定具７を外し本体を手前に取出した後、上部クランプ４および下部クランプ５を外し、さらに工具でカップ１を外し分解後洗浄しているが、さらなる改良を行なった。  図１の概略的な断面図と概略図２に基き説明する。  本体を大きく上下に２分割し、上部クランプ４で本体上部３と本体下部２を締め取外し可能とし、通常の分解時には本体下部２から下を外せるようにし、本体上部３は本体固定具７で固定する。  通常の週１回程度の分解洗浄時には入口配管のワンタッチ継手８と本体上部３は本体固定具７で固定したまま、本体下部２から下のみ取外し行なえるようにする。  出口ワンタッチ継手９を外せば入口配管はそのままで本体上部３を残した状態で取外せる。  カップ１もかん合構造で本体下部２と本体上部３の継目の部分に嵌め込むので、本体下部を外せばカップ１も上に持上げれば容易に外せるので工具不用である。
【産業上の利用可能性】
【０００９】  本考案の装置は、フレキソインクの粘度自動制御装置の問題点である洗浄性の向上に非常に有効なので、利用の可能性は極めて高い。
【図面の簡単な説明】
【００１０】
【図１】  本考案の概略的な断面図である。
【図２】  本考案の概略図である。
【図３】  従来の概略図である。
【符号の説明】
【００１１】１  カップ
２  本体下部
３  本体上部
４  上部クランプ
５  下部クランプ
６  センサ
７  本体固定具
８  入口ワンタッチ継手
９  出口ワンタッチ継手
【図１】
0003123939.tif 000003
【図２】
0003123939.tif 000004
【図３】
0003123939.tif 000005
(57)【要約】【課題】本考案は、流動性が少ない練餌を、簡単な機構と操作で容易に、均一に割れの無い練餌を成形でき、手指にべたついた練餌を除去できる練餌の成形器を安価に提供する。【解決手段】本考案は、ボール等練餌容器開口縁部に被覆取り付けた練餌の成形器本体１正面に、壁面に沿って立ち上がる定量目盛５を備えた成形溝２と、その上方に設けたテーブル端を扱き爪３とし練餌の成形と手指にべたついた練餌の除去を一連動作として一体化した。且つ、適宜なボール等練餌容器の上縁部に被覆固定する、前記成形器本体１の被覆部７を放射状に分割、切目の一方は成形器本体１正面に備えたヒンジ４と接続され、その開閉により被覆部７をボール等練餌容器の上縁部の円弧に合わせ被覆固定する。【選択図】図１
0003123931.tif 000002
【実用新案登録請求の範囲】
【請求項１】
本体正面に壁面を立ち上がる定量目盛を備えた成形溝を設け、成形溝上方を押圧部とし成型溝上方のテーブル端に扱き爪を設けたことを特徴とする練餌の成形器。
【請求項２】
ボール等練餌容器開口縁部に被覆する、本体の被覆部は放射状に分割されるとともに切目の一方は本体正面に備えたヒンジと接続されその開閉により円弧を変え大小異なるボール等練餌容器に対応して被覆固定できる事を特徴とする請求項１記載の練餌の成形器。
【考案の詳細な説明】
【技術分野】
【０００１】  本考案は、主としてへら鮒釣りの練餌の成形及び、べたつき除去と練餌容器の上縁部に固定できる練餌の成形器に関するものである。
【背景技術】
【０００２】  へら鮒釣りの釣場において、釣餌の原料グルテン等をボール等練餌容器内で混合、水と合わせ攪拌しほどよいかたさと粘りを持たせた練餌を作り、指先でちぎって丸め成形した練餌を釣針に装着をしていた。
【考案の開示】
【考案が解決しようとする課題】
【０００３】  グルテンを含む練餌は、粘りが強く手指にべたつき、時間が経つに従いかたさ粘りに変化を生じると云う難点がある。へら鮒釣りの技法として、素早く竿を繰り返し打ち水面の一点、定位置に均一の大きさの練餌を打ち続け魚を寄せ集める方法がある。従って練餌を素早く任意の大きさで、割れなく均一に成形、丸めて釣針に装着をして供給するとともに、手指にべたついた練餌を成形毎に扱き取り除去する事が求められる。さらに、多く使用されているボール等練餌容器は練餌の混合攪拌、水と練り合わせ等使い勝手良く、このボール練餌容器の利用を合わせる事によって問題点を解決しようとするものである。
【課題を解決するための手段】
【０００４】  本考案は、適宜なボール等練餌容器の上縁部に被覆固定する練餌の成形器本体正面に、壁面を立ち上がる定量目盛を備えた成形溝を設け成形溝中程より上方を練餌の合わせ皺を取る押圧部とし、割れのない均一の練餌を成形。成形溝上方テーブル端に設けた扱き爪をもって手指にべたついた練餌を払拭する。又ボール等練餌容器の上縁部に被覆する本体被覆部は、裏側凹巾を広くし放射状に分割されるとともに切目の一方は正面に備えてあるヒンジと接続され、ヒンジの開閉によりボール等練餌容器の上縁部の円弧に合わせる事が出来、大小異なるボール等練餌容器に対応し被覆固定できることにより問題解決している。
【考案の効果】
【０００５】  上述の様に、本考案の練餌の成形器は、べたつく練餌を素早く成形する事は勿論成形溝押圧部に練餌を通す事によって合わせ皺を取り除き割れのない、そのうえ定量目盛を指先で感じ均一の成形品を得る事が出来、且つ、隣接する扱き爪をもって手指にべたついた練餌を成形毎払拭し、一連動作として容易にスピーディに成形品を作る事に役立つ。又ボール等練餌容器の上縁部に被覆する練餌の成形器被覆部は、大小異なるボール等練餌容器に対応被覆固定できるもので特に専用の練餌容器を必要としない利点がある。
【考案を実施するための最良の形態】
【０００６】  練餌の成形器本体被覆部を、適宜なボール等練餌容器の上縁部に被せるようにヒンジを開閉させながら円弧を合わせ被覆固定する。又練餌の成形は、練餌を成型溝下部から押し上げ押圧部まで迫り上げる過程において合わせ皺を取り除き割れのないものとなり、定量目盛をもって任意の量の成形練餌を得る事が出来る。また、多種類の定量の成形練餌を確保するためには、１ないし複数の成形溝がある方が良い。手指にべたついた練餌は成形毎隣接する扱き爪の使用で一連動作をスピーディに出来る。
【実施例】
【０００７】  以下、添付図に従って一実施例を説明する。〔図１〕はボール等練餌容器の上縁部に被覆固定した練餌の成形器本体１で、２は練餌の成形器本体１正面に壁面を立ち上がる定量目盛５を備えた成形溝、その上方テーブル端に扱き爪３を設け、成形溝２の上方は押圧部６とし下から迫り上げられた練餌を指先で加圧し合わせ皺を取り、押圧部６縁に備えた定量目盛５を指先で感じ力を入れ押し切る。成形時手指にべたついた練餌は隣接する扱き爪３に手指を当て扱き取り払拭する。【０００８】  ボール等練餌容器の上縁部に、被覆固定する練餌の成形器本体１の被覆部７は、放射状に分割されるとともに切目の一方は前記成形器本体１正面に備えたヒンジ４と接続され、ヒンジ４の開閉により被覆部７をボール等練餌容器の上縁部の円弧に合わせ、大小異なるボール等練餌容器に対応練餌の成形器本体１を被覆固定できる。【０００９】  本考案の一実施例は上述の如き構成からなるものであるから、流動性が少ない練餌を簡単な機構の練餌の成形器１による練餌の成形は勿論であるが、べたつく練餌を扱き爪３をもって除去する一連の動作は素早く均一の練餌を供給する事に役立つ。
【図面の簡単な説明】
【００１０】
【図１】本考案の練餌の成形器の実施例を示す斜視図
【図２】正面図
【図３】平面図
【図４】Ａ−Ａ線断面図
【図５】Ｂ−Ｂ線断面図
【符号の説明】
【００１１】１  練餌の成形器本体
２  成形溝
３  扱き爪
４  ヒンジ
５  定量目盛
６  押圧部
７  被覆部
【図１】
0003123931.tif 000003
【図２】
0003123931.tif 000004
【図３】
0003123931.tif 000005
【図４】
0003123931.tif 000006
【図５】
0003123931.tif 000007
(57)【要約】      （修正有）【課題】従来は紫外線からの眼球の保護には紫外線カットサングラスを用い、顔面や首部の保護にはつばの長い帽子や帽子の日よけにより保護するなど、別物で対策していた。サングラスでは紫外線特有の乱反射する紫外線防御は不完全であるうえわずらわしさや汗などによる不快感、皮膚への圧迫痛を伴う場合があった。本考案により、眼球と首部から上の皮膚を有害紫外線から一体的に保護し、従来のサングラスなどより紫外線防御効果をなお一層高めた紫外線防御帽子を提供する。【解決手段】帽子のつばの前部及び側部の下側に、無色又は有色透明で屈曲自在な紫外線カット板を半円状に装着し、後部の首のうなじ部には布製の日よけを取り付けることで紫外線防御を３６０度効果にした。なお、着脱自在とし使用者自ら好みの加工も出来るものとした。【選択図】図１
0003123930.tif 000002
【実用新案登録請求の範囲】
【請求項１】
（イ）帽子のつばの前部及び側部の半円部の下側に無色透明又は有色透明で屈曲自在な硬質塩化ビニール板等化学製品の紫外線防御板を装着する。
（ロ）帽子の後部に布製の日よけを装着する。
以上のごとく構成された双方着脱自在な紫外線防御帽子。
【考案の詳細な説明】
【技術分野】
【０００１】  本考案は、帽子のつばの前面及び側面の半円部の下側に、無色透明又は有色透明で屈曲自在な紫外線カット板を取り付け、後面うなじ部には布製日よけを取り付けた双方着脱自在で３６０度効果の紫外線防御帽子に関するものである。
【背景技術】
【０００２】  従来、有害紫外線からの眼球保護には有害紫外線（ＵＶ）カット眼鏡を用い、皮膚保護には帽子のつばの幅を大きくしたものや帽子に日よけを施したなどをそれぞれ別物として使用している。
【考案の開示】
【考案が解決しようとする課題】
【０００３】  地球規模的な環境問題のうちオゾン層破壊による有害紫外線量の増大が皮膚ガンや白内障発症などの危険があることから、気象庁は２００５年５月より紫外線予報を開始した。幼児の母子健康手帳では１９９８年に日光浴の記述が削除された。学校でも学童の将来のガン予防に向けて、紫外線対策を考慮するなど有害紫外線問題は深刻である。
このような状況から白内障など眼病対策と皮膚ガン、シミ、シワ、などの対策として有害紫外線（ＵＶ）カット眼鏡や種種の帽子等が市民に浸透し利用されている。しかしながら従来の対策についてはつぎのような欠点があった。眼球の保護には有害紫外線の防御としてもっぱらＵＶカットサングラスに依存しているが、この場合、眼鏡の上下左右、建物や路面などからも反射する紫外線（紫外線の特性である散乱光）が眼球に入ってしまい完全防御は困難である。これを少しカバーするため眼鏡の側面にもグラスを入れたものや密閉形にしたものもある。これらは眼鏡であるため着用によるわずらわしさや汗などの不快感があり、眼鏡を常用しない人では皮膚への圧迫痛などが伴う場合がある。また外見からサングラスに抵抗のある人も多い。帽子（野球帽子型）のつばへセットする眼鏡があるが、紫外線防御に上述と同様な欠点がある。一方、頭顔面部の皮膚防御には、つばの長い帽子や日よけを施した帽子などが使用されている。これらはいずれもサングラスと帽子の別物であった。本考案は、眼球と頭顔面部の有害紫外線からの保護を一体化し、従来のものの欠点を解決するほか活動性やファッション性にも対応するなど、多様なニーズに一括してお応えする紫外線防御帽子である。
【課題を解決するための手段】
【０００４】  本考案は帽子のつばの前部及び側面部の下側に、透明で屈曲自在な数センチ幅の紫外線防御版を半円状に取り付けし、後面の首のうなじ部には布製の日よけを取り付け一元化した。３６０度効果の紫外線防御としたことで効果は高まり、皮膚に直接接触しないため不快感もなく上述の諸問題を解決している。なお日光量の減少で不要な場合もあり双方着脱自在とした。
【考案の効果】
【０００５】（イ）眼球と頭顔面部の皮膚の紫外線防御が一体的にできる。
（ロ）紫外線防御が３６０度効果のため頭部、顔面部、耳部、頸部まで防御できる。
（ハ）サングラスと比較し、眼球に対する紫外線防御効果は優れている。
（ニ）眼鏡でなく帽子に装着するため、わずらわしさや不快感、皮膚への圧迫感がない。
（ホ）防塵・花粉などの防御効果も高い。
（ヘ）視界に死角がなく安全性が高い。
（ト）運動性に富み、屋外活動時や日常生活でも自由に使用できる。
（チ）紫外線カット板は肉薄透明な板状のものを使用することから使用者好みのデザインに使用者が加工可能である。うなじ部の日よけも同様な仕様にすることができる。
（リ）着脱自在であることから、紫外線カット板の色調やデザインを自由に変更でき、複数個所有するなど好みのファッションを楽しむことができる。
（ヌ）帽子の洗濯ができる。
（ル）幼児・学童から老人まで幅広く利用できる。
（オ）使用上安全である。
（ワ）普通の眼鏡使用の場合も利用できる。
【考案を実施するための最良の形態】
【０００６】  本考案の実施形態を説明する。
帽子のつばの前面及び側面の半周部に適当な長さの紫外線カット板差込用の貫通部を数箇所設ける。帽子の後部は、日よけ取り付け用ホック又はマジックテープの一方を接着又は縫合により取り付ける。つばの貫通部に下側から差込用に形成された紫外線カット板を差し込む。布製の日よけにはホック又は一方のマジックテープを貼付しておき、帽子へ取り付ける。
【実施例１】
【０００７】  帽子のつばの下側に取り付ける紫外線カット板は眼球の下方からの紫外線の侵入をも十分防御する幅を有するものとし、長さについては側面からの紫外線の侵入を防ぐため耳の前部程度までとする。幅も長さも使用者が好みに応じて鋏で切断できるものとする。後ろ側の日よけの幅は耳を防御できる程度まで余裕を持って作成し、長さは首を前傾した場合もうなじを十分防御でき、風通し良く涼しくリボンのように美しくファッション性の高いものとする。
【実施例２】
【０００８】  帽子のつばの下側に取り付ける紫外線カット板を一時使用したくない場合は、抜き取るのではなく、帽子の下で折りたたみ式にした紫外線防御帽子。
【実施例３】
【０００９】  帽子のつばを帽子の前部及び側面部のみとし、後部に付けない紫外線防御帽子。
【実施例４】
【００１０】  帽子のつばへの紫外線カット板の取り付けに止め具を使用した紫外線防御帽子。
【図面の簡単な説明】
【００１１】
【図１】本考案の紫外線防御帽子の外観斜視図である。
【符号の説明】
【００１２】  １  帽子本体
２  つば
３  紫外線カット板
４  日よけ
【図１】
0003123930.tif 000003
(57)【要約】【課題】本考案はマクラ干し時に引掛け部がループ状になりマクラ使用時は引掛け部が内部に収納でき、邪魔にならない。【解決手段】本考案は、マクラ本体の少なくとも一端に、備えられた引掛け部を有して干せるようにする。マクラカバーの収納口側部にハトメを、２箇所設けそのハトメより引掛け紐をマクラカバー内側に通し、その引掛け紐の両端をマクラカバー内側の両端に縫い付け、マクラ本体同様引掛け部を有して干せるようにすることとしたカバー付きマクラ。【選択図】    図４
0003123924.tif 000002
【実用新案登録請求の範囲】
【請求項１】
マクラ本体と、このマクラ本体の少なくとも一端に備えられた引掛け部と、このマクラ本体を収納する布製マクラカバーと、更にマクラカバーの外面に沿う引掛け片部及びその両端をマクラカバーの内面に固定した屈曲性の引掛け紐とでなしたことを特徴としたカバー付きマクラ。
【請求項２】
マクラカバーの収納口側部に２箇所のハトメを設け、このハトメにロープを通した引掛け部を有する請求項１記載のカバー付きマクラ。
【考案の詳細な説明】
【技術分野】
【０００１】
本考案はカバーとマクラよりなるカバー付きマクラに関する。
【背景技術】
【０００２】
マクラ及びカバーは、定期的に洗濯をするが、その洗濯日までの間において一時的に屋外にて、日干しをすることとなる。ところで、その折はマクラをカバーから取り出すことなく、そのマクラを収納した状態で行うのが通例である。その折、物干し竿等に吊り下げが容易になるよう、マクラに引掛け紐を備えてカバーと一緒に日干しするものが下記特許文献にある。しかしながら、この文献のものは、引掛け紐がループ状に常時飛び出しており、邪魔になり、特に、就寝中に手足に引っかかり思わぬ事故につながる。
【０００３】
【特許文献１】実開  昭６２−１１３７７２
【考案の開示】
【考案が解決しようとする課題】
【０００４】
本考案はマクラ干し時に引掛け部がループ状になりマクラ使用時は引掛け部が内部に収納でき、邪魔にならない。  
【課題を解決するための手段】
【０００５】
本考案は上記背景技術を解決するため、マクラ本体の少なくとも一端に引掛け部を備え、このマクラ本体を収納する布製マクラカバーの外面に沿う引掛け部を有する屈曲性の引掛け紐の両端をマクラカバーの内側に固定し、マクラ本体とカバーとを一緒に干せることとしたカバー付きマクラ。
【考案の効果】
【０００６】
請求項1により、マクラ干し時は引掛け部はループ状になり、マクラ使用時は引掛け部が内部に収納でき、邪魔にならない。
請求項2により、引掛け紐の出し入れ等のスライドによって、すり切れるのを防ぐ。
【考案を実施するための最良の形態】
【０００７】
以下本考案を実施例として揚げた図面に基づいて説明する。図１はマクラ本体１の正面    あって、このマクラ本体は少なくとも一端に引掛け部２を備えている。このマクラ本体は布製マクラカバー３に収納され更にマクラカバー３の外面に沿うよう引掛け片部５及びその両端をマクラカバー３の内面に固定した屈曲性の引掛け紐でなしている。  
【０００８】
マクラカバー３はファスナー側面にハトメ４を２箇所設け、そのハトメ４よりロープ紐５aを内側にとうして、引掛け紐の両端をマクラ収納口の側面内側の両端に縫い付ける。  ハトメより内側に、引掛け紐を透し両端に縫い付ける事により、表面に出る引掛け紐が短いため手  足等に絡まなくて安全である。
【図面の簡単な説明】
【０００９】
【図１】マクラ本体の斜視図
【図２】同上の引掛け部を竿に引掛けた状態図
【図３】マクラカバーの斜視図
【図４】同上の引掛け部を絞った状態図
【図５】異なったマクラ本体の斜視図
【図６】マクラカバーの拡大断面図
【符号の説明】
【００１０】
１    マクラ本体
２    マクラ本体の引掛け紐
３    マクラカバー
４    ハトメ
５    マクラカバーに設けた引掛け部
５a   マクラカバーに設けた引掛け紐
６    異なったマクラ本体
Ｔ    物干し竿
【図１】
0003123924.tif 000003
【図２】
0003123924.tif 000004
【図３】
0003123924.tif 000005
【図４】
0003123924.tif 000006
【図５】
0003123924.tif 000007
【図６】
0003123924.tif 000008
(57)【要約】【課題】  仏事において、写経等の作業の手間を省くことのできる、仏事に適した模様を記した棺を提供する。【解決手段】  棺の蓋の内側（３）に、予め、経典や梵字、仏画のような仏事に適した模様（４）を記すことを特徴とする。【選択図】図２
0003123929.tif 000002
【実用新案登録請求の範囲】
【請求項１】
蓋の内側に、経典や梵字、仏画の少なくとも１つを記したことを特徴とする棺。
【考案の詳細な説明】
【技術分野】
【０００１】  本考案は、棺の蓋の内側に、経典や梵字、仏画の少なくとも１つを記した棺に関するものである。
【背景技術】
【０００２】  従来、棺の内側は無地のものが使用されており、遺族や関係者は、別途、写経等を行い故人の傍らに添えていた。
【考案の開示】
【考案が解決しようとする課題】
【０００３】  しかし、写経等は手間のかかる作業であり、通夜、葬儀と多忙の中、これらの作業は、時間的、労働的負担であった。
本考案は、この欠点を解決しようとするものである。
【課題を解決するための手段】
【０００４】  棺の蓋の内側に、経典や梵字、仏画のような仏事に適した模様を記しておく。
本考案は、以上の構成によりなる、模様を記した棺である。
【考案の効果】
【０００５】  予め、棺の蓋の内側に仏事に適した模様を記しているので、通夜、葬儀と多忙な中、写経等の手間のかかる作業を省くことができる。また、時間的、労働的負担が軽くなるため、より深く、真摯に仏事を行うことが可能となる。
【考案を実施するための最良の形態】
【０００６】  図１は、棺（１）とその蓋（２）の外観図であり、図２は棺の蓋の内側（３）に、経典や梵字、仏画のような仏事に適した模様（４）を印刷により記す。【０００７】  模様（４）を記す方法は、手描き、プリント、彫刻の方法でもよい。
【図面の簡単な説明】
【０００８】
【図１】  本考案に係る棺の外観図である。
【図２】  本考案に係る棺の蓋の内側の図である。
【符号の説明】
【０００９】  １  棺の蓋
２  棺
３  棺の蓋の内側
４  仏事に適した模様
【図１】
0003123929.tif 000003
【図２】
0003123929.tif 000004
(57)【要約】【課題】連結金具によって連結された全ねじボルトを切断することなく、２本のボルトの連結長さを調節できるようにする。【解決手段】型枠のセパレータであって、ねじ穴を２個並列に設けた２穴連結袋ナットと、その一方のねじ穴に螺着する全ねじの第１ボルトと、他方のねじ穴に螺着する先端部ねじ付きの第２ボルトからなり、第１ボルトと第２ボルトはそれぞれ反対方向から２穴連結袋ナットに螺着して連結し、第１ボルトの回動操作によって２本の連結ボルトの長さ調節ができるようにした。【選択図】図１
0003123925.tif 000002
【実用新案登録請求の範囲】
【請求項１】
型枠のセパレータであつて、ねじ穴を２個並列に設けた２穴連結袋ナットと、その一方のねじ穴に螺着する全ねじの第１ボルトと、他方のねじ穴に螺着する先端部ねじ付きの第２ボルトからなり、第１ボルトと第２ボルトはそれぞれ反対方向から２穴連結袋ナットに螺着して連結し、第１ボルトの回動操作によって２本の連結ボルトの長さの調節が出来るようにしたことを特徴とする型枠のセパレータ。
【請求項２】
前記２穴連結袋ナットは、その側壁に設けた雌ねじ穴に螺着して締め付け、全ねじボルトを固定する止めねじを備えていることを特徴とする請求項１記載の型枠のセパレータ。
【考案の詳細な説明】
【技術分野】
【０００１】  本考案は、コンクリートの型枠を固定するための２本のボルトからなる型枠のセパレータに関する。
【背景技術】
【０００２】  （従来例１）従来のセパレータとしては、図５に示すように、１穴袋ナット１０の１つのねじ穴に２本のボルト２と３を反対方向から螺着して直線的に連結する構造のものがある。【０００３】  （従来例２）このほかのセパレータとしては、図６に示すように、２本のボルト挿通穴を設けた連結金具１１に、２本のボルト３と３をそれぞれ並列に挿通し、両ボルト３と３の間にクサビ７をねじ入れて固定するものがある。
【考案の開示】
【考案が解決しようとする課題】
【０００４】  しかし、従来例１のセパレータにあっては、先端部ねじ付きボルト３と、全ねじボルト２は、１穴袋ナット１０を介して直線的に連結される構造となっているため、２本の連結ボルトの長さの調節が限定される。
このため、使用に際して所望する連結長さを得るために全ねじボルトを切断して調節する必要があり、作業が大変であるという問題点がある。また従来例２のセパレータにあっては、クサビのねじ込み強度によってはボルトが抜けるという問題点がある。
【課題を解決するための手段】
【０００５】  本考案は、上記問題点を解決するためになされた型枠のセパレータであって、ねじ穴を２個並列に設けた２穴連結袋ナットと、その一方のねじ穴に螺着する全ねじの第１ボルトと、他方のねじ穴に螺着する先端部ねじ付の第２ボルトからなり、第１ボルトと第２ボルトはそれぞれ反対方向から２穴連結袋ナットに螺着して連結し、第１ボルトの回動操作によって２本の連結ボルトの長さの調節ができるようにしたものである。
上記２穴連結袋ナットは、その側壁に設けた雌ねじ穴に螺着して締め付け、全ねじボルトを固定する止めねじを取り付けるようにしてもよい。
【考案の効果】
【０００６】  以上説明したように本考案によれば、連結しようとする２本のボルトを２分割にした貫通ねじ穴に別々に通すことによって、全ねじボルトは単独穴での回動操作が可能となる。
このため寸法調節のためのボルトの切断作業が省略されるので作業性が向上する。さらに、ボルトの連結に強力な打撃、ねじ込み等の作業を必要としないので、工具を使用することもなく手動による回動操作ができる。このため狭い場所、たとえば柱筋と柱筋、染筋と梁筋との間等でも迅速、確実、かつ簡単にボルトの連結ができるので作業効率も大巾に向上する。
【考案を実施するための最良の形態】
【０００７】  以下、本考案の実施例を示して本考案の構成について説明する。
【実施例】
【０００８】  図１は本考案の実施例にかかる型枠のセパレータの構成と型枠に取り付けた状態を示す平面図である。図１については、１は２連結袋ナットで、２本のボルトを通す貫通ねじ穴１ａと１ａを２個並列に設けた構造となっている。
そして上記２穴連結袋ナットの一方のねじ穴１ａには、全ねじの第１ボルト２が螺着されている。
２穴連結袋ナット１のもう一方のねじ穴１ａには、両先端部ねじ付きの第２ボルト３が第１ボルト２の反対方向から螺着されている。４はプラスチックコン（図４参照）５は型枠である。図２は、第１ボルト２と第２ボトル３の平面図である。
２穴連結袋ナットには、図３に示すように、その側壁に雌ねじ１ｂが設けられている。この孔１ｂには止めねじ１ｃが螺着されていて、これにより両ボルト２，３を固定できるようになっている。
【産業上の利用可能性】
【０００９】  本考案にかかる型枠のセパレータは、現場における各種さまざまな残材ボルトを互いに組み合わせて使用できるので、省コスト化に貢献するとともに産業上の利用も多大である。
さらに小型化、スリム化といった形態となるので、現場サイドにおける利用価値は絶大である。
【図面の簡単な説明】
【図１】本考案にかかる実施例を示す平面図。
【図２】図１のボルトの平面図である。
【図３】図１の２穴連結袋ナットの構造を示す平面図である。
【図４】プラスチックコンの構造を示す斜視図である。
【図５】従来技術の斜視図である。
【図６】従来技術の斜視図である。
【符号の説明】
１    ２穴連結袋ナット
１ａ  貫通ねじ穴
１ｂ  雌ねじ孔
１ｃ  止めねじ
２    第１ボルト
３    第２ボルト
４    プラスチックコン
５    型枠
６    クサビねじ孔
７    クサビねじ
１０    １穴袋ナット
１１    連結金具
【図１】
0003123925.tif 000003
【図２】
0003123925.tif 000004
【図３】
0003123925.tif 000005
【図４】
0003123925.tif 000006
【図５】
0003123925.tif 000007
【図６】
0003123925.tif 000008
(57)【要約】      （修正有）【課題】本考案は車のバッテリーを脱着する時に使用するバックアップ電源用のはずれないクリップの提供。【解決手段】バッテリーターミナルをはずすと同時にターミナルの穴の中にスプリングで円柱形の筒を押しこむことによりバッテーコードとクリップが一体になり安定しはずれない。【選択図】図１
0003123926.tif 000002
【実用新案登録請求の範囲】
【請求項１】
押し蓋にスプリングの付いた円柱形の筒をつけ、クリップを安定させたところを特徴とするバックアップ用電源クリップ
【考案の詳細な説明】
【技術分野】
【０００１】車のバッテリーを脱着する時に使用するものでバックアップ用電源クリップが容易にはずれないようにしたクリップ。
【背景技術】
【０００２】車のバッテリーコードをはずす時にバッテリーのポールからターミナルを抜きながら、スプリングの付いた円柱形の筒をターミナルの穴の中に押しこむことにより、バッテリーコードとクリップが一体になり、クリップが安定する
【考案の開示】
【考案が解決しようとする課題】
【０００３】車のバッテリーが付いている場所により普通のクリップではバッテリーを脱着する時にクリップがはずれやすい為、
【課題を解決するための手段】
【０００４】車のバッテリーコードをはずすと同時にターミナルの穴の中にスプリングでおされる円柱形の筒をおしこむ事によりバッテリーコードとクリップが一体になりクリップは安定する。
【考案の効果】
【０００５】バックアップ電源がはずれない為に車のモニターデジタル．セュキュリティーに支障が出ない。
【考案を実施するための最良の形態】
【０００６】押し蓋にスプリングのついた円柱形の筒とクリップを組合せたもの。
【実施例】
【０００７】円柱形の筒をターミナルの穴の中におしこむことによりクリップとバッテリーコードが一体になり容易にはずれない。
【図面の簡単な説明】
【０００８】
【図１】押し蓋にスプリングのついた円柱形の筒をつけたもの。
【符号の説明】
【０００９】▲１▼押し蓋
▲２▼スプリング
▲３▼円柱形の筒
▲４▼バックアップ電源コード
▲５▼クリップ
▲６▼ターミナル
0003123926.tif 000003
▲８▼バッテリーのポール
【図１】
0003123926.tif 000004
(57)【要約】【課題】  簡単な構造で、ハンカチーフの模様の変化を楽しみことができるファッション性の優れ、かつ、携帯が容易なハンカチーフを提供する。【解決手段】    ハンカチーフの表面と裏面に異なる模様を施し、ハンカチーフの少なくとも一つの四隅部に孔を設ける。また、孔の形状を模様に応じて適宜、円形、四角形、星型、ハート型といった形状とする。これにより、使用者は、ハンカチーフ本体の模様の変化を楽しむことができ、ベルト通し等に容易に装着が可能となる。【選択図】  図１
0003123185.tif 000002
【実用新案登録請求の範囲】
【請求項１】
表面と裏面とで模様が異なるハンカチーフにおいて、前記ハンカチーフの少なくとも一つの四隅部に孔を設けたことを特徴とするハンカチーフ。
【請求項２】
前記孔の形状が円形、四角形、星型、ハート型のいずれかであることを特徴とする請求項１記載のハンカチーフ。
【考案の詳細な説明】
【技術分野】
【０００１】
本考案は、ハンカチーフに関する。
【背景技術】
【０００２】
従来、ハンカチーフは汗や洗った手を拭くばかりではなく、消費者の気に入った模様を選ぶことによりファッション性の高い小道具としても使用されてきた。
【０００３】
ここで、例えば、ファッション性を向上させるために、ハンカチーフ本体に身飾品であるチャームを装着することで、高級感やファッション性を発揮するハンカチーフ（例えば、特許文献１参照。）等が提案されている。
【特許文献１】実用新案登録第３１１６６９４号
【考案の開示】
【考案が解決しようとする課題】
【０００４】
しかしながら、従来のハンカチーフは、ハンカチーフ本体に装飾が施されているものや特許文献１記載のように装飾物を付加するものについては存在しているが、ハンカチーフの模様の変化を楽しむことができるものについては、存在していなかった。
【０００５】
また、特許文献１記載のハンカチーフのように装飾物を付加するものであると、破損や紛失の可能性があり、特に子供用としては不向きである。さらに、活発的な子供の場合、ハンカチーフを携帯することを忘れたり、携帯したとしても、ついズボン等で手を拭いてしまうことがある。
【０００６】
そこで本考案は、簡単な構造で、ハンカチーフの模様の変化を楽しみことができるファッション性の優れ、かつ、携帯が容易なハンカチーフを提供することを目的としている。
【課題を解決するための手段】
【０００７】
上記の目的を達成するため本考案は、表面と裏面とで模様が異なるハンカチーフにおいて、前記ハンカチーフの少なくとも一つの四隅部に孔を設けたことを特徴としている。また、前記孔の形状が円形、四角形、星型、ハート型のいずれかであることを特徴とすることにより、模様の変化をより楽しむことができる。
【考案の効果】
【０００８】
上述の考案により、ハンカチーフの表面と裏面とで模様が異なり、四隅部に孔を設けたことにより、使用者は四つ折りにハンカチーフをした際に、様々な模様の変化を楽しむことができる。また、ベルト通し等にハンカチーフを通し、四隅部に設けた孔に、前記孔を設けた四隅部の対角側の角から通すことにより、ズボン等に容易に装着できる。この装着により、特に子供が使用した場合、ファッション性の向上だけでなく、ズボン等でつい手を拭いてしまうのを防ぐことができ、ズボン等を汚さないようにすることができる。
【考案を実施するための最良の形態】
【０００９】
以下、本考案の構成を図面に示す実施の形態に基づいて詳細に説明する。
【００１０】
図１乃至図６に本考案の実施形態の一例を示す。ハンカチーフ１は、図１及び図２に示されますように、表面２と裏面３で異なる模様が施されており、四隅部の一つには円形の孔４が設けられている。
【００１１】
そして、図３及び図４で示すように  ハンカチーフ本体を四つ折りにすると、前記孔４から裏面側若しくは表面側の模様が視認できるため、模様の変化を楽しむことができる。本形態例では、表面の玉乗りの玉の部分に合わせて孔４を設けており、図３のように四つ折りにすると裏面の模様が玉乗りの玉の模様となる。また裏面側を表にするように四つ折りにすれば、図４のように犬の絵を表示することも可能である。
【００１２】
なお、前記孔４の形状は円形に限らなくてもよく、四角形、星型、ハート型といったように模様に応じて適宜選択すればよく、またこれらの形状に限られるものではない。
【００１３】
さらに、前記孔４は、少なくとも一つの四隅部に設けられていればよく、複数設けられていてもよい。
【００１４】
そして、図５に示すように、ハンカチーフ本体１をズボン５等のベルト通し６に通して、孔４が設けられた四隅部と対角側の角の方から孔４に通すことにより、図６に示すように装着することができる。これにより、携帯することを忘れがちな子供が使用しても、容易に携帯でき、また装着した状態によりファッション性の向上が図られる。さらに、ついズボン等で洗った手を拭いてしまうことを避け、ズボン等が汚れることを防ぐことができる。
【図面の簡単な説明】
【００１５】
【図１】本考案の一形態例を示すハンカチーフの表面である。
【図２】本考案の一形態例を示すハンカチーフの裏面である。
【図３】ハンカチーフを四つ折りにした図である。
【図４】ハンカチーフを四つ折りにした図である。
【図５】ハンカチーフをズボンに装着する手順を示した説明図である。
【図６】ハンカチーフをズボンに装着した状態を示す説明図である。
【符号の説明】
【００１６】
１…ハンカチーフ、２…表面、３…裏面、４…孔、５…ズボン、６…ベルト通し
【図１】
0003123185.tif 000003
【図２】
0003123185.tif 000004
【図３】
0003123185.tif 000005
【図４】
0003123185.tif 000006
【図５】
0003123185.tif 000007
【図６】
0003123185.tif 000008